(57)【要約】【課題】反射形高圧放電ランプを大きくすることなく、発光管の周囲を真空に保持し、高圧放電ランプの特性の安定化を図る。【解決手段】発光管は導入線と電気石機械的に接続させておき反射鏡の内部に金属パイプ３４ａ，３４ｂを挿通させて、を発光管の導入線２ａを金属パイプ３４ａと溶接して電気的、機械的に保持しておく。そうして、もう一方の金属パイプ３４ｂから、反射鏡内部を真空に保持して、金属パイプ３４ｂと導入線２ｂを溶融させて、金属パイプ３４ｂと導入線２ｂを気密に固定する。【選択図】図１
2004213904.tif 000002
【特許請求の範囲】
【請求項１】
透光性容器に少なくとも一対の電極を封装し内部に放電媒体を封入した発光管と；
発光管の電極に電気的に接続される導入線と；
内部に発光管を収納し、投光開口側に前面カバー、投光開口側と対向している基部、基部にメタライズ層によって気密に固定される金属パイプおよび金属パイプと導入線を気密に閉塞する金属ろう材と有している反射鏡と：
を具備していることを特徴とする反射形高圧放電ランプ。
【請求項２】
器具本体と；
器具本体に収納される請求項１の反射形高圧放電ランプと；
を具備したことを特徴とする照明装置。
【発明の詳細な説明】
【０００１】
【発明の属する技術分野】本発明は、反射形高圧放電ランプ及び照明装置に関する。
【０００２】
【従来の技術】従来から、成型形ガラスの内面にアルミニウムなどを蒸着して反射鏡面を形成した反射形ランプは、構造がコンパクトであり、照明器具の反射鏡の必要が無く施工が簡略できる事から、ダウンライトなどに適用されている。
【０００３】
特に、光源として高圧放電ランプを用いる場合は、高圧放電ランプは、破裂の虞があったり、または雰囲気温度に特性が影響を受けやすく、発光管を大気中に曝露することができないため、反射形ランプであっても内部を、不活性ガスに充填させたり真空となるように気密に封装する必要がある。
【０００４】
例えば、特開平８−２３６０７６号公報に記載されているように、発光管をガラス管内に封装し、ガラス管内を真空に保持して、ガラス管の両側を封止する。そうして、発光管を封装したガラス管を反射形バルブに封装して、反射形バルブの内部を窒素で充填する。このようにして、発光管の周囲を真空状態にして、発光管のリークを防止し、安定したランプ特性の得られる反射形放電ランプを得ている。
【０００５】
また、特許第２９９９０３８号公報に記載されている金属蒸気放電灯の製造方法のように、漏斗形状の反射鏡の反射開口部とフロントカバー部とを溶着して予め製作し、金属蒸気放電発光管を反射鏡と固定治具により固定し、Ｍｏ箔をピンチシールしてピンチシール部で密着して反射鏡内を気密構造にした。さらに、反射鏡内を真空排気後、チップシール部でチップシールして、金属蒸気放電発光管を反射鏡に組み込んだ反射形放電灯を得た。
【０００６】
【特許文献１】特開平８−２３６０７６号公報
【０００７】
【特許文献２】特許２９９９０３８号公報
【０００８】
【発明が解決しようとする課題】しかしながら、特許文献１に記載されている従来技術では、発光管の周囲を真空に保つ事は容易であるが、発光管の周囲を覆うガラス管を要しているため、反射形高圧放電ランプが大きくなってしまう。さらに、反射形バルブもまた、内部を真空にした後窒素で充填しているが、その工程は煩雑である。
【０００９】
また、特許文献２に記載されている従来技術では、反射鏡の一部にチップ部を設けてそこで反射鏡内部を排気するものであるため、チップ部が反射鏡外部に現れる（図示はされていないが）。このため、チップ部が外部の衝撃によって破損しやすく外部との気密を保てなく虞があり、ランプ特性を維持する事が困難となる虞がある。
【００１０】
したがって、本発明は、反射形高圧放電ランプが大きくすることなく、発光管の周囲の気密を保持するができ、ランプ特性の安定化を図ることのできる反射形高圧放電ランプおよびこの反射形高圧放電ランプを用いた照明装置を得ることができる。
【００１１】
【課題を達成するための手段】請求項１の発明の反射形高圧放電ランプは、透光性容器に少なくとも一対の電極を封装し内部に放電媒体を封入した発光管と；発光管の電極に電気的に接続される導入線と；内部に発光管を収納し、投光開口側に前面カバー、投光開口側と対向している基部にメタライズ層によって気密に固定される金属パイプおよび金属パイプと導入線を気密に閉塞する金属ろう材と有している反射鏡と：を具備している。
【００１２】
本発明および以下の各発明において、特に指定しない限り用語の定義および技術的意味は次による。
【００１３】
発光管としては、透光性容器に石英ガラスを用いた水銀ランプ、メタルハライドランプおよび透光性容器に透光性セラミック用いた高圧ナトリウムランプ、セラミックメタルハライドランプが用いられる。また、電極は要すれば、補助電極などを封装してもよい。
【００１４】
反射鏡は、ガラス、セラミックスなどから形成する。また、この反射鏡を一体的に構成してもよいし、前面ガラス部、反射部および基部などに分割して形成し、内部に発光管を収納した後気密にそれぞれ取り付ける事もできる。
【００１５】
また、反射鏡の少なくとも基部に金属パイプを１つ取り付ければよく要すれば、前面ガラス側に金属パイプを設ける事もできる。さらに、金属パイプは１つ存在していればよく、金属パイプと接合されない側の導入線との接合は、金属パイプでなくとも反射鏡外部と気密が保てるように構成されればよい。
【００１６】
本発明によれば、反射鏡にメタライズ層で保持された金属パイプによって発光管を支持している導入線と反射鏡外部との電気接続を可能として、さらに反射鏡の内部の排気に利用する事ができるため、反射鏡の内部を真空もしくは不活性ガスで充填させる事ができる。このため安定したランプ特性の得られる反射形高圧放電ランプを得ることができる。
【００１７】
請求項２の発明の照明装置は、器具本体と；器具本体に収納される請求項３の管球と；を具備したことを特徴とする。
【００１８】
器具本体とは、請求項１の反射形高圧放電ランプを利用するあらゆる装置を意味しており、たとえばダウンライト、投光器、道路・トンネルなど照明器具、街路灯などを含む。
【００１９】
本発明によれば、請求項１の効果を奏する照明装置を提供することができる。
【００２０】
【発明の実施の形態】以下、本発明の実施の形態を図面を参照して説明する。図１は、本発明の第一の実施形態の反射形高圧放電ランプＬの断面図である。
【００２１】
発光管１は、セラミックからなる放電容器１１の両端側に金属パイプ１２をメタライズ層を介して配設し、金属パイプ１２と電極（図示しない）は、金属ろう材によって電気的に接続されているものである。
【００２２】
導入線２と発光管１は、モリブデンやニッケルからなる金属箔１３を介して電気的および機械的に接続される。
【００２３】
反射鏡３は、前面ガラス３１、反射部３２、基部３３から構成されている。前面ガラス３１、基部および反射部３２は、発光管１を反射部内部３２収納した後に溶融させて気密に接続する。または、気密性の高い接着剤などで結合させる。反射部３２の内面には、アルミ蒸着などからなる反射面が形成されている。また基部３３には、2本の金属パイプ３４ａ，３４ｂがメタライズ層を介して固定される。基部３３は、口金も構成しており、基部３３の周囲にはシェル金具３５が固定されており、１本の金属パイプ３４ａとシェル金具３５および導入線２ａは、金属ろう材３６ａによって電気的および機械的に接続固定される。
【００２４】
このような反射形高圧放電ランプは、まず、反射部３２の開口部に前面ガラス３１を前面ガラス３１の周囲を溶融させて反射部３２の開口部に気密に取り付ける。また、基部３３は、セラミックによって構成され、基部の周囲にはシェル金具３５が取り付けられ、シェル金具３５の中心には金属パイプ３４ｂがメタライズ層を介して挿入されている。また、シェル金具３５の近傍にも金属パイプ３４ａも受けられて基部３３を貫通している。
【００２５】
発光管１は、発光管１端部の金属パイプ１２をモリブデンからなる金属箔１３で回装して導入線２ａ，２ｂと支持する。導入線は、モリブデン棒からなり、一方の導入線２ａを金属パイプ３４ａに相通させた後、導入線２ａの端部をレーザまたは電子線などのエネルギー密度の高いビームの照射によって溶融させて、導入線２ａと金属パイプ３４ａを溶融させて接合し、さらにシェル金具とも電気的に接合させて、発光管１を基部３３に固定する。
【００２６】
基部３３の開口側と反射部３２との間に溶融させたフリットガラスによって気密に接合させる、または、気密性の高い接着剤などを用いて基部と反射部を取り付けるなどして接合される。基部３３と反射部３２を気密に封装し、封止前の金属パイプ３４ｂから内部を真空に排気する。そうして、金属パイプ３４ｂと導入線２ｂをレーザにて溶融させて、金属パイプを封装止し内部を真空に保持する。そうして溶融された部分の金属パイプは、口金のアイレット金具として利用する。
【００２７】
このように、反射形高圧放電ランプを形成する事によって、反射形高圧放電ランプを大きくすることなく、発光管１の周囲を真空に保持することができる。
【００２８】
また、図２は本発明の照明装置の一実施の形態として、スポットライトを示す正面図で、このスポットライトは、スポットライト本体Ｓと上記反射鏡付きの高圧放電ランプＬ５とからなる。
【００２９】
このスポットライト本体Ｓは、主としてライティングダクト取付部Ｓ１、アームＳ２および灯体Ｓ３を備えて構成されている。ライティングダクト取付部Ｓ１は、図示しないライティングダクトに着脱自在に取付けられてスポットライトを吊持するとともに、内部に点灯回路（図示しない。）を収納していて、ライティングダクトからから受電する。アームＳ２は、基端がライティングダクトＳ１に固定されている。灯体Ｓ３は、前面が開口した容器状をなし、アームＳ２の先端に垂直面内において、俯仰自在および水平面内で回動可能に枢着されているとともに、内部に設けられた捩じ込み形のランプソケット（図示しない。）に上記高圧放電ランプＬ５の口金９４が取着されている。
【００３０】
このスポットライトの場合も、反射鏡付きの高圧放電ランプＬ５内部に収容した放電ランプＬ１が上述したと同様な作用効果を呈し、何等支障のない点灯を行うことができる。
【００３１】
【発明の効果】請求項１の発明によれば、反射鏡にメタライズ層で保持された金属パイプによって発光管を支持している導入線と反射鏡外部との電気接続を可能として、さらに反射鏡の内部の排気に利用する事ができるため、反射形高圧放電ランプを大きくすることなく反射鏡の内部を真空もしくは不活性ガスで充填させる事ができる。このため安定したランプ特性の得られる反射形高圧放電ランプを得ることができる。
【００３２】
請求項２の発明によれば、請求項１の効果を奏する照明装置を提供することができる。
【図面の簡単な説明】
【図１】本発明の反射形高圧放電ランプ１実施形態を示す断面図。
【図２】本発明の照明装置の一実施の形態としてのスポットライトを示す正面図。
【符号の説明】
Ｌ・・・反射形高圧放電ランプ、１…発光管、  ２ａ、２ｂ…導入線、  ３１…前面ガラス、  ３２…反射部、  ３３・・・基部、  ３４ａ、３４ｂ・・・金属パイプ、
【図１】
2004213904.tif 000003
【図２】
2004213904.tif 000004